(57)【要約】【課題】カメラボディとレンズ鏡筒との着脱を確実に行うことが出来るカメラシステムを提供する。【解決手段】本発明のカメラシステム１は、ボディ側マウント部５１及びボディ側指標１８とが設けられたボディ１０と、レンズ側マウント部５２及びレンズ側指標３２が設けられたレンズ鏡筒３０とを備え、レンズ鏡筒をマウント開始位置からマウント完了位置に移動させることによりボディに装着させるカメラシステム１であって、ボディは、光源２１と、光源から一方のマウント部５１に設けられた第１ボディ側マウント開口部２７まで延びる第１光路２２，２５と、を備え、レンズ鏡筒は、マウント部５２に設けられた第２レンズ側マウント開口部２８から、指標３２まで延びる第２光路２９を備え、レンズ鏡筒が、マウント開始位置に位置するときに、第１光路と第２光路とが連結されて、光源からの光が他方の指標３２より視認可能となる。【選択図】図２
2013057757.tif 000002
【特許請求の範囲】
【請求項１】
ボディ側マウント部及びボディ側指標とが設けられたカメラボディと、レンズ側マウント部及びレンズ側指標が設けられたレンズ鏡筒と、を備え、
該レンズ鏡筒を、前記レンズ側指標と前記ボディ側指標との位置を対応させて前記レンズ側マウント部を前記ボディ側マウント部に配置したマウント開始位置から、前記カメラボディに対して相対的に回転させたマウント完了位置に移動させることにより、前記カメラボディに装着させるカメラシステムであって、
前記カメラボディと前記レンズ鏡筒とのうちの一方は、光源と、該光源から該一方のマウント部に設けられた第１開口部まで延びる第１光路と、を備え、
前記カメラボディと前記レンズ鏡筒とのうちの他方は、該他方のマウント部に設けられた第２開口部から、該他方に設けられた指標まで延びる第２光路を備え、
該レンズ鏡筒が、前記マウント開始位置及び前記マウント完了位置のすくなくとも一方に位置するときに、前記第１光路と前記第２光路とが連結されて、前記光源からの光が前記第１光路及び前記第２光路を通って前記他方の指標より視認可能となること、
を特徴とするカメラシステム。
【請求項２】
請求項１に記載のカメラシステムであって、
前記第１光路は、前記光源から前記一方に設けられた指標まで延び、前記光源からの光が、前記一方の指標より視認可能であること、
を特徴とするカメラシステム。
【請求項３】
請求項１又は２に記載のカメラシステムであって、
前記一方はカメラボディ、前記他方はレンズ鏡筒であり、
前記第１光路は、前記光源から前記ボディ側指標まで延びるメイン光路を有し、前記光源からの光が、前記ボディ側指標より視認可能であり、かつ、前記メイン光路から分岐して、カメラボディ側マウントに設けられた第１開口部まで延びるサブ光路を有し、
前記第２光路は、レンズ側マウント部に設けられた第２開口部から前記レンズ側指標まで延び、
前記レンズ鏡筒が前記マウント開始位置及び前記マウント完了位置のすくなくとも一方に位置する場合に、前記第１開口部と前記第２開口部とが対向し、前記サブ光路と前記第２光路とが連結されて、前記光源からの光が、前記メイン光路、前記サブ光路、前記第２光路を通って前記レンズ側指標より視認可能となること、
を特徴とするカメラシステム。
【請求項４】
請求項１から３のいずれか１項に記載のカメラシステムであって、
前記レンズ鏡筒が、前記ボディ側マウント部の前記マウント開始位置及び前記マウント完了位置に位置するときのいずれの場合にも前記第１光路と前記第２光路とが連結されて、前記光源からの光が前記第１光路及び前記第２光路を通って前記他方に設けられた前記指標より視認可能であり、
前記カメラシステムは、前記レンズ側マウント部が前記ボディ側マウント部の前記マウント完了位置に移動したことを検知する検知部を有し、
前記レンズ側マウント部が前記ボディ側マウント部の前記マウント開始位置する場合と前記マウント完了位置に位置する場合とで、前記光源を、異なる色で発光させること、
を特徴とするカメラシステム。
【発明の詳細な説明】
【技術分野】
【０００１】
本発明は、カメラシステムに関するものである。
【背景技術】
【０００２】
従来、カメラボディに着脱可能なレンズ鏡筒がある。そして、レンズ鏡筒をカメラボディに装着する際、マウント近傍を照明し、夜間等の暗い場所でのレンズの装着を容易にしているものがある（例えば、特許文献１参照）。
【先行技術文献】
【特許文献】
【０００３】
【特許文献１】特開平８−２２０５７号公報
【発明の概要】
【発明が解決しようとする課題】
【０００４】
しかし、レンズ鏡筒をカメラボディに装着する際、マウント近傍を照明しても、照明が不十分の場合、位置合わせを確実に行うことが困難となる。また、十分な輝度の照明を点灯させることは、消費電力の増加につながる。
【０００５】
本発明の課題は、暗所においてカメラボディとレンズ鏡筒との着脱を確実に行うことが出来るカメラシステムを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、ボディ側マウント部（５１）及びボディ側指標（１８）とが設けられたカメラボディ（１０，１０’）と、レンズ側マウント部（５２）及びレンズ側指標（３２）が設けられたレンズ鏡筒（３０，３０’，３０’’）とを備え、該レンズ鏡筒（３０，３０’，３０’’）を、前記レンズ側指標（３２）と前記ボディ側指標（１８）との位置を対応させて前記レンズ側マウント部（５２）を前記ボディ側マウント部（５１）に配置したマウント開始位置から、前記カメラボディ（１０，１０’）に対して相対的に回転させたマウント完了位置に移動させることにより、前記カメラボディ（１０，１０’）に装着させるカメラシステム（１，１’，１’’，１’’’）であって、前記カメラボディ（１０，１０’）と前記レンズ鏡筒（３０，３０’，３０’’）とのうちの一方（１０，１０’）は、光源（２１）と、該光源（２１）から該一方のマウント部（５１）に設けられた第１開口部（２７）まで延びる第１光路（２２，２５）と、を備え、前記カメラボディ（１０，１０’）と前記レンズ鏡筒（３０，３０’，３０’’）とのうちの他方（３０，３０’，３０’’）は、該他方（３０，３０’，３０’’）のマウント部（５２）に設けられた第２開口部（２８，２８ａ，２８ｂ，２８ｃ，２８ｄ）から、該他方（３０，３０’，３０’’）に設けられた指標（３２，３２ａ，３２ｂ）まで延びる第２光路（２９，２９ａ，２９ｃ，２９ｄ）を備え、該レンズ鏡筒（３０，３０’，３０’’）が、前記マウント開始位置及び前記マウント完了位置のすくなくとも一方に位置するときに、前記第１光路（２２，２５）と前記第２光路（２９，２９ａ，２９ｃ，２９ｄ）とが連結されて、前記光源（２１）からの光が前記第１光路（２２，２５）及び前記第２光路（２９，２９ａ，２９ｃ，２９ｄ）を通って前記他方（３０，３０’，３０’’）の指標（３２）より視認可能となること、を特徴とするカメラシステム（１，１’，１’’，１’’’）である。
請求項２に記載の発明は、請求項１に記載のカメラシステム（１，１’，１’’，１’’’）であって、前記第１光路（２２，２５）は、前記光源（２１）から前記一方（１０，１０’）のに設けられた指標（１８）まで延び、前記光源（２１）からの光が、前記一方（１０，１０’）の指標（１８）より視認可能であること、を特徴とするカメラシステム（１，１’，１’’，１’’’）である。
請求項３に記載の発明は、請求項１又は２に記載のカメラシステム（１，１’，１’’，１’’’）であって、前記一方はカメラボディ（１０，１０’）、前記他方はレンズ鏡筒（３０，３０’，３０’’）であり、前記第１光路（２２，２５）は、前記光源（２１）から前記ボディ側指標（１８）まで延びるメイン光路（２２）を有し、前記光源（２１）からの光が、前記ボディ側指標（１８）より視認可能であり、かつ、前記メイン光路（２２）から分岐して、カメラボディ側マウント（５１）に設けられた第１開口部（２７）まで延びるサブ光路（２５）を有し、前記第２光路（２９，２９ａ，２９ｃ，２９ｄ）は、レンズ側マウント部（５２）に設けられた第２開口部（２８，２８ａ，２８ｂ，２８ｃ，２８ｄ）から前記レンズ側指標（３２，３２ａ，３２ｂ）まで延び、前記レンズ鏡筒（３０，３０’，３０’’）が前記マウント開始位置及び前記マウント完了位置のすくなくとも一方に位置する場合に、前記第１開口部（２７）と前記第２開口部（２８，２８ａ，２８ｂ，２８ｃ，２８ｄ）とが対向し、前記サブ光路（２５）と前記第２光路（２９，２９ａ，２９ｃ，２９ｄ）とが連結されて、前記光源（２１）からの光が、前記メイン光路（２２）、前記サブ光路（２５）、前記第２光路（２９，２９ａ，２９ｃ，２９ｄ）を通って前記レンズ側指標（３２）より視認可能となること、を特徴とするカメラシステム（１，１’，１’’，１’’’）である。
請求項４に記載の発明は、請求項１から３のいずれか１項に記載のカメラシステム（１’’’）であって、前記レンズ鏡筒（３０’，３０’’）が、前記ボディ側マウント部（５１）の前記マウント開始位置及び前記マウント完了位置に位置するときのいずれの場合にも前記第１光路（２２，２５）と前記第２光路（２９，２９ａ，２９ｃ，２９ｄ）とが連結されて、前記光源（２１）からの光が前記第１光路（２２，２５）及び前記第２光路（２９，２９ａ，２９ｃ，２９ｄ）を通って前記他方（３０’，３０’’）に設けられた前記指標（３２）より視認可能であり、前記カメラシステム（１’）は、前記レンズ側マウント部（５２）が前記ボディ側マウント部（５１）の前記マウント完了位置に移動したことを検知する検知部（１３ｂ）を有し、前記レンズ側マウント部（５２）が前記ボディ側マウント部（５１）の前記マウント開始位置する場合と、前記マウント完了位置に位置する場合とで、前記光源（２１）を異なる色で発光させること、を特徴とするカメラシステム（１’’’）である。
【０００８】
なお、符号を付して説明した構成は、適宜改良してもよく、また、少なくとも一部を他の構成物に代替してもよい。
【発明の効果】
【０００９】
本発明によれば、カメラボディとレンズ鏡筒との着脱を確実に行うことが出来るカメラシステムを提供することができる。
【図面の簡単な説明】
【００１０】
【図１】第１実施形態を適用したカメラシステムを示す概略斜視図である。
【図２】第１実施形態のカメラシステムの概略断面図である。
【図３】レンズ鏡筒とカメラボディとの配置状態を示す図であり、（ａ）は、レンズ鏡筒がカメラボディのマウント開始位置に正しく配置された場合、（ｂ）はレンズ鏡筒がカメラボディのマウント開始位置に正しく配置されなかった場合を示す。
【図４】本発明の第２実施形態を説明する図であり、（ａ）は、レンズ鏡筒を被写体側から見た図であり、（ｂ）はカメラシステムの概略斜視図である。
【図５】本発明の第３実施形態を説明する図であり、（ａ）は、レンズ鏡筒を被写体側から見た図であり、（ｂ）はカメラシステムの概略斜視図である。
【図６】本発明の第４実施形態のカメラシステムの断面図である。
【発明を実施するための形態】
【００１１】
（第１実施形態）
以下、図面等を参照して、本発明の実施形態について説明する。図１は、本発明の第１実施形態を適用したカメラシステム１を示す概略斜視図である。図２は、第１実施形態のカメラシステム１の概略断面図である。
【００１２】
カメラシステム１は、レンズ交換式のデジタルカメラシステムであって、カメラボディ１０と、該カメラボディ１０に対して着脱可能なレンズ鏡筒３０とにより構成されている。
カメラボディ１０とレンズ鏡筒３０とは、マウント機構５０によって係脱可能に結合される。
【００１３】
レンズ鏡筒３０は、レンズ筐体３１の内部に、詳細は示さないが、移動操作されることで焦点調整を行う合焦レンズ群を含む複数のレンズ群を備えている。また、レンズ鏡筒３０は、合焦レンズ群を移動操作する駆動手段（合焦モータ）を備えている。そして、装着されたカメラボディ１０からの制御信号によって合焦レンズ群が移動制御され、合焦位置の調整が行われるようになっている。この合焦に関する情報交換および駆動手段への電源供給等は、マウント機構５０を介して行われる。またレンズ鏡筒３０は、さらに、後述する装着状態視認構造２０の一部を有する。
【００１４】
カメラボディ１０は、当該カメラボディ１０の基本骨格を構成するボディ筐体１１と、ボディ筐体１１の内部に配置された撮像素子１２と、当該撮像素子１２を含むカメラボディ１０の全体を制御する制御部１３と、ボディ筐体１１に設けられたシャッターボタン１５、ファインダ１６、背面側に配置された表示装置１７等を備えている。さらにカメラボディ１０も、後述する装着状態視認構造２０の一部を有する。
【００１５】
シャッターボタン１５は、ボディ筐体１１の上面に配設された、当該カメラボディ１０の全体を統括制御する制御部１３に対して撮影操作を指令するスイッチである。
撮像素子１２は、被写体光を電気信号に変換するＣＣＤ等によって構成されている。撮像素子１２は、ボディ筐体１１の内部にその受光面が光軸ＯＡと直交するように配設されている。
【００１６】
ファインダ１６は、撮影範囲を視認するために被写体の光学像を形成する光学系である。ファインダ１６は、カメラボディ１０の上部に配設されている。
表示装置１７は、液晶パネル等によって構成され、撮像素子１２によって撮像したスルー画像を表示する。また、表示装置１７は、撮影画像やそのヒストグラムおよび撮影情報などを表示する。
【００１７】
マウント機構５０は、カメラボディ１０に設けられたボディ側マウント部５１と、レンズ鏡筒３０に設けられたレンズ側マウント部５２と、によって構成されている。ボディ側マウント部５１とレンズ側マウント部５２とは、これに限定されるものではないが、本実施形態において、バヨネット結合により結合される。
ボディ筐体１１におけるボディ側マウント部５１の近傍には、ボディ側指標１８が設けられ、レンズ筐体３１におけるレンズ側マウント部５２の近傍には、レンズ側指標３２が設けられている。
【００１８】
レンズ鏡筒３０をカメラボディ１０に装着する際に、ボディ側指標１８とレンズ側指標３２とを対応、すなわち、ボディ側指標１８とレンズ側指標３２とが光軸ＯＡを中心とした同一径上に配置されるようにして、レンズ側マウント部５２をボディ側マウント部５１に当接させる（図１）。このときの、カメラボディ１０に対するレンズ鏡筒３０の位置が、マウント開始位置である。
そして、レンズ鏡筒３０をカメラボディ１０に対して相対的に回転させ、レンズ鏡筒３０をカメラボディ１０に装着させる。このときの、カメラボディ１０に対するレンズ鏡筒３０の位置がマウント完了位置である。
【００１９】
マウント完了位置において、レンズ鏡筒３０は、マウント機構５０を介してカメラボディ１０に光軸ＯＡを一致させた状態で装着される。これにより、撮影対象に応じて焦点距離や機能等の異なる種々のレンズ鏡筒３０をカメラボディ１０に装着して撮影することができる。
【００２０】
カメラシステム１は、カメラボディ１０にレンズ鏡筒３０がマウント機構５０を介して装着されて、撮影可能な状態となる。そして、シャッターボタン１５が押圧操作されると、レンズ鏡筒３０によって撮像素子１２に結像された被写体像を、撮像素子１２が電気信号に変換する。撮像素子１２によって光電変換された撮像データは、当該カメラシステム１の図示しない制御装置によって画像データとして信号処理される。信号処理された画像データは表示装置１７に表示され、また、図示しない記録装置に記録される。これによって、撮影が行われる。
【００２１】
本実施形態では、レンズ鏡筒３０をカメラボディ１０に対して装着する際に、上述のマウント開始位置とマウント完了位置にあることを視認することが可能である。以下、この装着状態視認構造２０について説明する。
【００２２】
装着状態視認構造２０は、図２に示すように、カメラボディ１０の内部に配置された光源２１を有する。この光源２１は例えばＬＥＤ等で構成されている。
【００２３】
また、装着状態視認構造２０は、光源２１から筐体１１の表面に向かって光軸ＯＡと平行に延びるボディ側メイン光路２２を備える。ボディ側メイン光路２２の筐体１１の正面側端部は開口し、光透過部材２３が取り付けられている。光透過部材２３が配置された開口が、ボディ側指標１８となる。
【００２４】
また、ボディ側メイン光路２２の途中にはハーフミラー２４が配置され、このハーフミラー２４によって反射される光の進む方向には、ボディ側サブ光路２５が設けられている。ボディ側サブ光路２５は、直角に曲がり、再度光軸ＯＡと平行な方向へと延び、ボディ筐体１１の前面のボディ側マウント部５１まで延びて開口している（ボディ側マウント開口部２７）。このボディ側マウント開口部２７には、光透過部材２７ｔが取り付けられている。ボディ側サブ光路２５の曲がっている部分には、ミラー２６が配置され、ミラー２６によって光の進む方向も９０°も曲げられ、光がボディ側マウント開口部２７に到達するようになっている。
【００２５】
一方、レンズ側マウント部５２にもレンズ側マウント開口部２８が設けられ、このレンズ側マウント開口部２８も光透過部材２８ｔが取り付けられている。レンズ側マウント開口部２８からはレンズ側光路２９が延びる。レンズ側光路２９は途中で直角で折れ曲がり、レンズ筐体３１の外周に開口している（開口部３４）。その曲がっている部分には、ミラー３３が配置され、ミラー３３に光の進む方向も９０°曲げられ、開口部３４に到達するようになっている。開口部３４には光透過部材３４ａが配置され、この開口部３４がレンズ側指標３２となる。
【００２６】
ボディ筐体１１は、さらに、制御部１３に接続された発光選択部１３ａを備える。
発光選択部１３ａは、光源２１のオンオフを、使用者が選択可能な部分である。発光選択部１３ａは、例えば、図１に示す筐体１１の前面に配置されている着脱ボタン１３ａであり、着脱ボタン１３ａが押下されている間だけ、光源２１が発光して装着状態視認構造２０が機能する。なお、これに限定されず、例えば着脱ボタン１３ａを一回押すと光源２１が点灯し、もう１度押すと光源２１が消灯するようにしても良い。
【００２７】
図３（ａ）は、レンズ鏡筒３０がカメラボディ１０のマウント開始位置に正しく配置された場合、図３（ｂ）はレンズ鏡筒３０がカメラボディ１０のマウント開始位置に正しく配置されなかった場合を説明する図である。
【００２８】
レンズ鏡筒３０をカメラボディ１０に装着する際に、まず、着脱ボタン１３ａを押下する。そうすると、光源２１が発光する。光源２１の光は、ボディ側メイン光路２２を通って、ハーフミラー２４を透過してボディ側指標１８より視認可能となる。
【００２９】
そして、光源２１が発光している状態で、ボディ側指標１８とレンズ側指標３２とを対応させて、レンズ側マウント部５２をボディ側マウント部５１に当接させる。
このとき、レンズ側マウント部５２がボディ側マウント部５１のマウント開始位置に正しく配置されると、光源２１の光のうち、ボディ側メイン光路２２を通って、ハーフミラー２４で反射された光は、ボディ側サブ光路２５、ボディ側のボディ側マウント開口部２７、レンズ側のレンズ側マウント開口部２８を通ってレンズ側光路２９に入り、レンズ側指標３２より視認可能となる。
【００３０】
これに対して図３（ｂ）に示すように、レンズ側マウント部５２がボディ側マウント部５１のマウント開始位置に正しく配置されていないと、光源２１の光は、ボディ側のボディ側マウント開口部２７からレンズ側のレンズ側マウント開口部２８に伝わらず、レンズ側指標３２から視認することができない。
【００３１】
そして、カメラボディ１０のマウント開始位置に、レンズ鏡筒３０が正しく配置された状態で、レンズ鏡筒３０をカメラボディ１０に対して相対的に回転させると、レンズ鏡筒３０は、カメラボディ１０に対するマウント完了位置に移動され、レンズ鏡筒がカメラボディに確実時装着される。
【００３２】
以上、本実施形態によると、レンズ鏡筒３０が、カメラボディ１０のマウント開始位置に、正しく配置されたことを、視認することができる。これにより、例えば暗いところでレンズ交換を行う場合であっても、カメラボディ１０に対してレンズ鏡筒３０が正しく配置されたことを知ることができ、レンズ装着を容易且つ確実に行うことができる。
【００３３】
（第２実施形態）
図４は、本発明の第２実施形態を説明する図であり、（ａ）は、レンズ鏡筒３０’を被写体側から見た図であり、（ｂ）はカメラシステム１’の概略斜視図である。第２実施形態において第１実施形態と同様の部分については同一の符号を付し、その説明は省略する。
第１実施形態では、レンズ側マウント部５２におけるレンズ側光路２９に至るレンズ側マウント開口部２８は、１つであるが、第２実施形態では、第１レンズ側マウント開口部２８ａと第２レンズ側マウント開口部２８ｂとの２つの開口部とが設けられている。
【００３４】
第１レンズ側マウント開口部２８ａは、第１実施形態のレンズ側マウント開口部２８と同様の開口部である。一方、第２レンズ側マウント開口部２８ｂは、レンズ鏡筒３０がカメラボディ１０のマウント完了位置に正しく配置されたときに、ボディ側マウント開口部２７と対向する開口部である。そして、２つのレンズ側マウント開口部２８ａと２８ｂとの間は、光が直進可能な連結光路２９ａが設けられている。
【００３５】
レンズ鏡筒３０がカメラボディ１０のマウント完了位置にある場合、第２レンズ側マウント開口部２８ｂとボディ側マウント開口部２７とが対向し、ボディ側マウント開口部２７から第２レンズ側マウント開口部２８ｂに入射した光は、図示しないミラーによって反射されて連結光路２９ａを通り、図示しないミラーによって再度反射されて、第１レンズ側マウント開口部２８ａと同一径上に位置するレンズ側指標３２より観察可能となっている。
【００３６】
本実施形態によると、第１実施形態と同様に、レンズ鏡筒３０’がカメラボディ１０’に対してのマウント開始位置に正しく配置された場合に、ボディ側光路２２，２６とレンズ側光路２９とが連通して、光源２１からの光をレンズ鏡筒３０’からも観察することが可能となる。これによって、レンズ鏡筒３０’が、カメラボディ１０’のマウント開始位置に、正しく配置されたこと知ることができる。
【００３７】
さらに、レンズ鏡筒３０’がカメラボディ１０’に対して回転されて、マウント完了位置に、正しく移動した場合にも、ボディ側光路２２，２６とレンズ側光路２９，２９ａとが連通して、光源２１からの光をレンズ鏡筒３０’からも観察することが可能となる。これによって、レンズ鏡筒３０’が、カメラボディ１０’に対して正しく装着されたこと知ることができる。
【００３８】
（第３実施形態）
図５は、本発明の第３実施形態を説明する図であり、（ａ）は、レンズ鏡筒３０’’を被写体側から見た図であり、（ｂ）はカメラシステム１’’の概略斜視図である。第３実施形態において第１実施形態と同様の部分については同一の符号を付し、その説明は省略する。
第１実施形態では、レンズ側マウント部５２におけるレンズ側光路２９に至るレンズ側マウント開口部２８は１つであるが、第３実施形態では、第１レンズ側マウント開口部２８ｃと第２レンズ側マウント開口部２８ｄとの２つの開口部とが設けられている。
【００３９】
第１レンズ側マウント開口部２８ｃは、第１実施形態のレンズ側マウント開口部２８と同様の開口部であり、第１レンズ側光路２９ｃと第１レンズ側指標３２ａとを有する。一方、第２レンズ側マウント開口部２８ｄは、第１実施形態のレンズ側マウント開口部２８と同様の構造であって、第２レンズ側光路２９ｄと第２レンズ側指標３２ｄとを有する。
【００４０】
ここで、第２レンズ側マウント開口部２８ｄは、レンズ鏡筒３０がカメラボディ１０のマウント完了位置に正しく配置されたときに、ボディ側のボディ側マウント開口部２７と対向する開口部である。なお、２つのレンズ側マウント開口部２８ｃと２８ｄとは、第２実施形態と異なり、連結されてはいない。
【００４１】
本実施形態によると、第１実施形態と同様に、レンズ鏡筒３０’’がカメラボディ１０’’に対してのマウント開始位置に、正しく配置された場合に、ボディ側光路２２，２６と第１レンズ側光路２９ｃとが連通して、光源からの光が第１レンズ側指標３２ｃからも観察することが出来るので、レンズ鏡筒３０’’が、カメラボディ１０’’のマウント開始位置に、正しく配置されたこと知ることができる。
【００４２】
さらに、レンズ鏡筒３０’’がカメラボディ１０’’に対して回転されて、マウント完了位置に、正しく移動した場合に、ボディ側ボディ側マウント開口部２７とレンズ側の第２レンズ側マウント開口部２８ｄとが連通して、光源２１からの光がレンズ鏡筒３０’’から観察することが出来るので、レンズ鏡筒３０’’が、カメラボディ１０’に対して正しく装着されたこと知ることができる。
【００４３】
（第４実施形態）
図６は、本発明の第４実施形態のカメラシステム１’’’の断面図である。第４実施形態において第１実施形態と同様の部分については同一の符号を付し、その説明は省略する。
また、第４実施形態のレンズ鏡筒は、第３実施形態同様のレンズ鏡筒３０’’である。
ただし、レンズ鏡筒３０’’はこれに限定されず、マウント完了時にもレンズ側指標から光源指標から確認できる構造であればよく、例えば第２実施形態のレンズ鏡筒３０’であっても良い。
【００４４】
第４実施形態が他の実施形態と異なる点は、図６に示すように、カメラボディ１０’’’側に接続状態検出部１３ｂを備える点である。この接続状態検出部１３ｂは、例えば、ボディ側マウント部５１に設けられているボディ側接点（図示せず）と、レンズ側マウント部５２に設けられているレンズ側接点（図示せず）との導通を検知することにより、レンズ鏡筒３０がマウント完了位置にあることを検知可能となっている。
そして、接続状態検出部１３ｂは、レンズ鏡筒３０がマウント完了位置にあることを検知可能すると、検知信号を制御部１３に送信する。
【００４５】
さらに本実施形態で光源２１は、発光色を変更可能となっている。接続状態検出部１３ｂよりレンズ鏡筒３０がマウント完了位置に移動したことを示す検知信号を受信すると、制御部１３は、光源２１に対して発光色の変更を指示する。
例えば、レンズ鏡筒３０がマウント開始位置にあるとき光源２１は赤色で発光し、レンズ鏡筒３０がマウント完了位置になると、光源２１は緑色に色を変更する。
この発光色の変化は、例えば、光源２１としてのＬＥＤを２色配置して切り替えてもよく、また光源２１の前にフィルタを配置してもよい。
【００４６】
本実施形態によると、第１から第３実施形態と同様の効果に加え、さらに、レンズ鏡筒がマウント開始位置とマウント完了位置にあるときとで発光色が変わるので、レンズ鏡筒３０’’がカメラボディ１０’’’に対して、どの位置にあるのかを容易に認識可能となる。
【００４７】
以上、説明した実施形態に限定されることなく、種々の変形や変更が可能であり、それらも本発明の範囲内である。なお、実施形態は、適宜組み合わせて用いることもできるが、詳細な説明は省略する。また、本発明は以上説明した実施形態によって限定されることはない。
【符号の説明】
【００４８】
１：カメラシステム、１０：カメラボディ、１１：ボディ筐体、１３：制御部、１３ａ：発光選択部、１３ｂ：接続状態検出部、１８：ボディ側指標、２１：光源、２２：ボディ側メイン光路、２５：ボディ側サブ光路、２７：ボディ側マウント開口部、２８、２８ａ、２８ｂ、２８ｃ、２８ｄ：レンズ側マウント開口部、２９、２９ａ、２９ｃ、２９ｄ：レンズ側光路、３０：レンズ鏡筒、３１：レンズ筐体、３２、３２ａ、３２ｃ、３２ｄ：レンズ側指標、５０：マウント機構、５１：ボディ側マウント部、５２：レンズ側マウント部
【図１】
2013057757.tif 000003
【図２】
2013057757.tif 000004
【図３】
2013057757.tif 000005
【図４】
2013057757.tif 000006
【図５】
2013057757.tif 000007
【図６】
2013057757.tif 000008